(57)【要約】【課題】変倍操作可能な撮像光学系を有する電子カメラで変倍操作をする際に、あとどれくらいズームイン、ズームアウトの操作が可能かをユーザに知らせる。【解決手段】撮像光学系の焦点距離が広角端に設定されたとき、予め定められた表示画像サイズ（横方向表示画像サイズ＝Ｈ  縦方向表示画像サイズ＝Ｖ）である広角端表示画像サイズでライブ映像２０２ａを映像表示部に表示する。広角端における焦点距離Ｗ［ｍｍ］よりも長い焦点距離Ｆ［ｍｍ］に撮像光学系が設定されているとき、映像表示部にライブ映像２０２ｂを表示する際の表示画像サイズを、Ｒ＝Ｆ／Ｗ、  横方向表示画像サイズ≒Ｈ／Ｒ、  縦方向表示画像サイズ≒Ｖ／Ｒで求められる値に縮小し、表示するとともに、当該の縮小されたライブ映像２０２ｂの外側に、広角端表示画像サイズに対応する指標２００を重畳して表示する。望遠端における撮影範囲を示す指標２０４も表示する。【選択図】図２
2009224976.tif 000002
【特許請求の範囲】
【請求項１】
変倍動作可能な撮像光学系により形成された被写体の像を光電変換して画像信号を生成する撮像部と、
前記画像信号を逐次処理して映像表示部にライブ映像を表示するプレビュー表示処理部であって、前記撮像光学系の焦点距離が広角端に設定されたとき、予め定められた表示画像サイズ  （横方向表示画像サイズ  ＝  Ｈ  縦方向表示画像サイズ  ＝  Ｖ）  である広角端表示画像サイズで前記ライブ映像を前記映像表示部に表示するように表示画像サイズを調節するプレビュー表示処理部とを有し、
前記プレビュー表示処理部はさらに、前記広角端における焦点距離  Ｗよりも長い焦点距離  Ｆに前記撮像光学系が設定されているとき、前記映像表示部に前記ライブ映像を表示する際の表示画像サイズを以下の式
Ｒ  ＝  Ｆ  ／  Ｗ
横方向表示画像サイズ  ≒  Ｈ  ／  Ｒ
縦方向表示画像サイズ  ≒  Ｖ  ／  Ｒ
で求められる値に縮小し、表示するとともに、当該の縮小して表示されるライブ映像の外側に、前記広角端表示画像サイズに対応する指標を重畳して表示するサイズ可変表示モードで前記ライブ映像を表示するように構成される
ことを特徴とする、撮像装置。
【請求項２】
前記プレビュー表示処理部はさらに、前記ライブ映像中に、前記撮像光学系の焦点距離が望遠端に設定されたときの撮影範囲を示す指標を重畳して表示するように構成されることを特徴とする請求項１に記載の撮像装置。
【請求項３】
前記プレビュー表示処理部はさらに、前記撮像光学系の焦点距離が広角端から望遠端へ変化するのに応じて、前記映像表示部における前記ライブ映像の表示位置を予め定めた方向に移動するように構成されることを特徴とする請求項１または２に記載の撮像装置。
【請求項４】
前記プレビュー表示処理部はさらに、前記撮像光学系の焦点距離が予め定められた焦点距離の値を超したときに、前記ライブ映像に加えて、当該のライブ映像の表示画像サイズよりも大きい表示画像サイズを有する拡大ライブ映像も表示するように構成されることを特徴とする請求項１から３のいずれか一つに記載の撮像装置。
【請求項５】
前記プレビュー表示処理部はさらに、前記撮像光学系で設定される焦点距離によらず一定の表示画像サイズでライブ映像を表示するサイズ固定表示モードで前記ライブ映像を表示可能に構成され、
ライブ映像を表示する際の表示モードを前記サイズ可変表示モードまたは前記サイズ固定表示モードに切り替えるための表示モード切替部
をさらに有することを特徴とする請求項１から４のいずれか一つに記載の撮像装置。
【請求項６】
撮影準備動作開始または撮像開始のための操作をユーザが行うためのレリーズ操作部をさらに有し、
前記表示モード切替部は、前記ユーザによる前記レリーズ操作部の操作に応じて、前記映像表示部に前記ライブ映像を表示する際の表示モードを前記サイズ可変表示モードに切り替え可能に構成される
ことを特徴とする請求項５に記載の撮像装置。
【請求項７】
前記撮像光学系の焦点距離変更のための操作をユーザが行うための変倍操作部をさらに有し、
前記表示モード切替部は、前記ユーザによる前記変倍操作部の操作に応じて、前記映像表示部に前記ライブ映像を表示する際の表示モードを前記サイズ可変表示モードに切り替え可能に構成される
ことを特徴とする請求項５または６に記載の撮像装置。
【請求項８】
前記ユーザによる前記変倍操作部の操作を終えてからの経過時間を計測する計時部をさらに有し、
前記表示モード切替部は、前記計時部で計測された前記経過時間が予め定められた長さを超したときに、前記映像表示部に前記ライブ映像を表示する際の表示モードを前記サイズ固定表示モードに切り替え可能に構成される
ことを特徴とする請求項７に記載の撮像装置。
【請求項９】
前記表示画像サイズは、前記映像表示部に表示される前記ライブ映像の表示ピクセルサイズまたは表示寸法長で規定されることを特徴とする請求項１から８のいずれか一つに記載の撮像装置。
【請求項１０】
変倍動作可能な撮像光学系により形成された被写体の像を光電変換して画像信号を生成する撮像部から出力される前記画像信号を逐次処理して映像表示部にライブ映像を表示する映像表示方法であって、
前記撮像光学系の焦点距離が広角端に設定されたとき、予め定められた表示画像サイズ  （横方向表示画像サイズ  ＝  Ｈ  縦方向表示画像サイズ  ＝  Ｖ）  である広角端表示画像サイズで前記ライブ映像を前記映像表示部に表示するように表示画像サイズを調節することと、
前記広角端における焦点距離  Ｗよりも長い焦点距離  Ｆに前記撮像光学系が設定されているとき、前記映像表示部に前記ライブ映像を表示する際の表示画像サイズを以下の式
Ｒ  ＝  Ｆ  ／  Ｗ
横方向表示画像サイズ  ≒  Ｈ  ／  Ｒ
縦方向表示画像サイズ  ≒  Ｖ  ／  Ｒ
で求められる値に縮小し、表示することと、
縮小して表示される前記ライブ映像の外側に、前記広角端表示画像サイズに対応する指標を重畳して表示することと
を有することを特徴とする映像表示方法。
【発明の詳細な説明】
【技術分野】
【０００１】
本発明は撮像装置に関し、特に可変焦点距離撮像光学系を有する撮像装置で画角を決定する際の画角決定ユーザインターフェースを有する撮像装置に関する。
【背景技術】
【０００２】
デジタルスチルカメラやデジタルムービーカメラなどの撮像装置は撮像用の光学系として焦点距離を変倍させることの可能な可変焦点距離光学系を備えるものが多い。以下では焦点距離を変倍させることの可能な可変焦点距離光学系を単に「変倍光学系」と称する。変倍光学系を操作することにより、被写体の大きさや撮影意図に応じて画角を変えて撮像することが可能となる。
【０００３】
変倍光学系を操作しながら撮影する際、ユーザはプレビュー画像（スルー画、ライブ映像などとも称される）を注視しているので、現状の設定焦点距離がどれくらいなのかを知るのは難しく、これから行おうとする変倍の操作によってどの程度の画角変化が得られるのか、判りづらい場合がある。そのような場合、所望の画角に設定する前に、変倍光学系の焦点距離を広角端あるいは望遠端に設定してみて、表示装置に表示されるプレビュー映像を確認し、それから所望の画角に設定する、というような使われ方をすることがある。
【０００４】
上述した点を改善する方法として、ユーザが変倍操作をしたときに、プレビュー画像の中、あるいは近傍にバーグラフ状のものを表示して、現状で設定されている焦点距離位置からどの程度ズームイン、ズームアウトが可能なのかを表示するものがある。しかし、このような方法によっても、画角をあとどれくらい変更可能なのかを直観的に把握できるようになるまでにはユーザの習熟を必要とし、さらに優れたユーザインターフェースが模索されている。
【０００５】
一つの改善策として、特許文献１に開示されるものがある。この特許文献１には、ユーザがズームボタンを操作するのに応じて、液晶モニタに表示されるスルー画像に画角枠を重ねて表示する技術が開示される。ユーザはスルー画像に重ねて表示される画角枠を見て、さらなる変倍操作（ズームイン操作）をしたときにどのような画角で撮影をすることが可能かを知ることが可能となる。
【特許文献１】特開２００７−１７８７３５号公報
【発明の開示】
【発明が解決しようとする課題】
【０００６】
特許文献１に開示されるものでは、スルー画像の中に画角枠を重ねて表示しているので、ズームインした（望遠側に変倍させた）ときにどのような画像が得られるかを知ることはできる。しかし、ズームアウトした（広角側に変倍させた）ときの画角枠はスルー画像中に表示されないので、現状で設定されている焦点距離位置からズームアウトしてどのような画角を得ることができるのか、ユーザは判断することができない。
【０００７】
本発明は上記の問題に鑑みなされたもので、変倍光学系を有する撮像装置で変倍操作をして得られる画角の変化をユーザが容易に判断可能とすることを目的とする。
【課題を解決するための手段】
【０００８】
（１）  本発明は撮像装置に適用され、当該の撮像装置が、
変倍動作可能な撮像光学系により形成された被写体の像を光電変換して電気的な画像信号を生成する撮像部と、
前記画像信号を逐次処理して映像表示部にライブ映像を表示するプレビュー表示処理部であって、前記撮像光学系の焦点距離が広角端に設定されたとき、予め定められた表示画像サイズ  （横方向表示画像サイズ  ＝  Ｈ  縦方向表示画像サイズ  ＝  Ｖ）  である広角端表示画像サイズで前記ライブ映像を前記映像表示部に表示するように表示画像サイズを調節するプレビュー表示処理部とを有し、
前記プレビュー表示処理部はさらに、前記広角端における焦点距離  Ｗよりも長い焦点距離  Ｆに前記撮像光学系が設定されているとき、前記映像表示部に前記ライブ映像を表示する際の表示画像サイズを以下の式
Ｒ  ＝  Ｆ  ／  Ｗ
横方向表示画像サイズ  ≒  Ｈ  ／  Ｒ
縦方向表示画像サイズ  ≒  Ｖ  ／  Ｒ
で求められる値に縮小し、表示するとともに、当該の縮小して表示されるライブ映像の外側に、前記広角端表示画像サイズに対応する指標を重畳して表示するサイズ可変表示モードで前記ライブ映像を表示するように構成される
ことにより、上述した課題を解決する。
（２）  本発明はまた、変倍動作可能な撮像光学系により形成された被写体の像を光電変換して画像信号を生成する撮像部から出力される前記画像信号を逐次処理して映像表示部にライブ映像を表示する映像表示方法に適用され、
この映像表示方法が、
前記撮像光学系の焦点距離が広角端に設定されたとき、予め定められた表示画像サイズ  （横方向表示画像サイズ  ＝  Ｈ  縦方向表示画像サイズ  ＝  Ｖ）  である広角端表示画像サイズで前記ライブ映像を前記映像表示部に表示するように表示画像サイズを調節することと、
前記広角端における焦点距離  Ｗよりも長い焦点距離  Ｆに前記撮像光学系が設定されているとき、前記映像表示部に前記ライブ映像を表示する際の表示画像サイズを以下の式
Ｒ  ＝  Ｆ  ／  Ｗ
横方向表示画像サイズ  ≒  Ｈ  ／  Ｒ
縦方向表示画像サイズ  ≒  Ｖ  ／  Ｒ
で求められる値に縮小し、表示することと、
縮小して表示される前記ライブ映像の外側に、前記広角端表示画像サイズに対応する指標を重畳して表示することと
を有するものである。
【発明の効果】
【０００９】
本発明によれば、撮像光学系で設定された焦点距離Ｆと、撮像光学系の広角端における焦点距離Ｗとの比Ｒ（＝Ｆ／Ｗ）を求め、広角端表示画像サイズを上記Ｒで除して求められる表示画像サイズに縮小してライブ映像を表示するとともに、当該のライブ映像の外側に、広角端表示画像サイズに対応する指標を重畳して表示することにより、ユーザが撮像光学系を変倍操作しているときに、さらにどの程度変倍操作をすることが可能なのかを直観的に把握することが可能となる。
【発明を実施するための最良の形態】
【００１０】
図１は、本発明が適用されるデジタルカメラ１００の概略的内部構成を示すブロック図である。デジタルカメラ１００は、レリーズスイッチ１０２と、ズームスイッチ１０４と、ドライバ１０６と、レンズ駆動部１０８と、変倍動作が可能な撮像光学系１１０と、撮像素子１１２と、画像処理部１１４と、表示制御部１１６と、表示部１１８と、ＣＰＵ１２０と、操作部材１３０と、ＲＡＭ１３２と、ＲＯＭ１３４と、エンコーダ１４０とを有し、これらの要素がシステムバス１３８を介して電気的に接続されている。デジタルカメラ１００はまた、記憶媒体１３６を有する。この記憶媒体１３６はフラッシュメモリ等で構成することが可能で、デジタルカメラ１００に内蔵されるものとすることも、メモリカードの形態でデジタルカメラ１００に着脱可能に接続されるものとすることも可能である。
【００１１】
レリーズスイッチ１０２は、ユーザによる半押し操作および全押し操作を受け付け可能なプッシュスイッチまたはスライドスイッチ等で構成可能である。撮像光学系１１０は複数のレンズエレメントを有し、それらのレンズエレメントがレンズ駆動部１０８によって駆動されて撮像光学系１１０の光軸方向に沿って移動することにより変倍動作が行われる。レンズ駆動部１０８は、モータやカム機構等を有し、ドライバ１０６を介してＣＰＵ １２０によりその動作が制御される。レンズ駆動部１０８はまた、撮像光学系１１０の焦点調節用レンズ（不図示）も駆動可能に構成されており、この焦点調節用レンズの動きもＣＰＵ１２０によって制御される。エンコーダ１４０は、撮像光学系１１０で設定された焦点距離を検出するためのものである。ＣＰＵ１２０がエンコーダ１４０から出力される信号を検出することにより、撮像光学系１１０で設定されている焦点距離を検出可能に構成される。
【００１２】
撮像素子１１２は、撮像光学系１１０によって形成された被写体の像を光電変換して画像信号を出力する。なお、本明細書中で撮像素子１１２は、二次元配置された光電変換素子のアレー、これらの光電変換素子のアレーから出力されるアナログ信号にＣＤＳ（相関二重サンプリング）、ＡＧＣ（自動ゲインコントロール）、Ａ／Ｄ変換等の処理を行ってデジタルの画像信号を出力するための回路ブロックを有し、撮像素子１１２からデジタル画像信号を出力可能に構成されるものとして説明をする。
【００１３】
撮像素子１１２から出力されるデジタルの画像信号は、システムバス１３８を介してＲＡＭ１３４に転送され、処理前画像データとして一時的に記憶される。ＲＡＭ１３２は、メモリアクセス速度に優れるＳＤＲＡＭ等で構成することが望ましい。画像処理部１１４は、ＡＳＩＣ（特定用途向け集積回路）等で構成され、上述したようにＲＡＭ１３２に一時的に記憶された処理前画像データにデモザイク処理、階調補正処理、カラーバランス調整、アンシャープマスク処理等を行い、画像データを生成する。画像処理部１１４は、生成された画像データに対して、必要に応じてＪＰＥＧ画像圧縮等の処理をして記憶媒体１３６に記録する。
【００１４】
画像処理部１１４はまた、撮像素子１１２から出力される画像信号を逐次処理して表示部１１８にライブ映像を表示するための表示用画像データを生成する。表示制御部１１６は、画像処理部１１４によって生成された表示用画像データに基づいて表示部１１８にライブ映像を表示する処理を行う。
【００１５】
デジタルカメラ１００は、被写体の像を撮像して記憶媒体１３６に画像データを記録する画像記録モードや、記憶媒体１３６に記録されている画像データをもとに画像を表示部１１８に再生表示する再生モード等を動作モードとして有しており、ユーザが操作部材１３０を操作するのをＣＰＵ１２０は検出して、ユーザが所望するモードに切り替える。この操作部材１３０は、プッシュスイッチ、スライドスイッチ、ダイヤルスイッチ、あるいはタッチセンサ等を含むことが可能で、上記のモード切り替えのみならず、画像記録モード時の画像記録サイズ、画質、フラッシュのオン・オフ等の設定切り替えをすることが可能に構成される。また、ユーザが操作部材１３０を操作することによって、後述するライブ映像表示モードの切り替えをすることも可能に構成される。
【００１６】
レリーズスイッチ１０２は、ユーザによる半押しおよび全押しの操作を受け付け可能なプッシュスイッチまたはスライドスイッチ等で構成される。ズームスイッチ１０４は、ユーザによるズームイン操作（画角を狭める操作）およびズームアウト操作（画角を広げる操作）を受け付け可能なプッシュスイッチまたはスライドスイッチ等で構成される。
【００１７】
ＣＰＵ１２０は、デジタルカメラ１００の動作を統括制御する。例えば、デジタルカメラ１００が記録モードに設定されている場合、ＣＰＵ１２０は、焦点調節、測光、露光量調節、フラッシュ発光量調節等の制御を行う。また、デジタルカメラ１００が再生モードに設定されている場合、ＣＰＵ１２０は、表示部１１８に表示される画像の切り替え、縮小／拡大表示切り替え等のユーザ操作を受け付ける処理を行う。
【００１８】
ＲＯＭ１３４は、マスクＲＯＭまたはＥＥＰＲＯＭ等で構成され、ＣＰＵ１２０で実行されるプログラムやデジタルカメラ１００内で扱われる各種の制御パラメータや各種の情報が記憶される。なお、ＲＯＭ１３４がＥＥＰＲＯＭで構成される場合には、ＲＯＭ１３４内に記録されるプログラムは一度ＲＡＭ１３２上に読み出され、ＲＡＭ１３２上のプログラムをＣＰＵ１２０が読み取り、実行することがＣＰＵ１２０による処理の速度を増す上で望ましい。
【００１９】
ここでデジタルカメラ１００が記録モードに切り替えられているときに表示部１１８に表示されるライブ映像について説明する。ライブ映像の表示は、画素間引き等の技術を用いて撮像素子１１２からピクセルサイズの比較的小さい画像信号を１／６０秒、１／３０秒と云った周期で読み出し、その画像信号を逐次処理して表示部１１８に表示することで行われる。
【００２０】
デジタルカメラ１００は、ライブ映像を二つの表示モードで表示可能に構成されている。すなわち、以下で説明するサイズ固定表示モード、あるいはサイズ可変表示モードでライブ映像を表示可能に構成されている。
【００２１】
サイズ固定表示モードにおいては、常に一定の表示画像サイズでライブ映像が表示部１１８に表示される。すなわち、撮像光学系１１０の設定焦点距離によらず、常に一定の表示画像サイズでライブ映像が表示部１１８に表示される。この表示画像サイズとは、表示部１１８上に表示されるライブ映像の表示寸法（横方向寸法［ｍｍ］×縦方向寸法［ｍｍ］）で規定されるものであっても、表示部１１８上に表示されるライブ映像のピクセルサイズ（横方向ピクセル数×縦方向ピクセル数）で規定されるものであってもよい。
【００２２】
サイズ可変表示モードにおいては、撮像光学系１１０で設定される焦点距離に応じてライブ映像の表示画像サイズが変化する。これについてさらに説明をすると、撮像光学系１１０が広角端に設定された場合（広角端における焦点距離  ＝  Ｗ  ［ｍｍ］とする）の、
モニタ映像の横方向表示画像サイズ  ＝  Ｈ
モニタ映像の縦方向表示画像サイズ  ＝  Ｖ
とすると、撮像光学系１１０で焦点距離がＦ［ｍｍ］に設定された場合には、表示部１１８にライブ映像を表示する際の表示画像サイズを以下の式
Ｒ  ＝  Ｆ  ／  Ｗ                      …    式（１）
横方向表示画像サイズ  ≒  Ｈ  ／  Ｒ    …    式（２）
縦方向表示画像サイズ  ≒  Ｖ  ／  Ｒ    …    式（３）
で求められる値に縮小して表示する。上記式において記号「／」は除算を意味する。また、上記のようにして縮小されたライブ映像の外側に、撮像光学系１１０が広角端に設定された場合のライブ映像の表示画像サイズ（本明細書中ではこれを「広角端表示画像サイズ」と称する）に対応する指標を重畳して表示する。
【００２３】
なお、サイズ可変表示モードにおける上記表示画像サイズについても、表示部１１８上に表示されるライブ映像の表示寸法（横方向寸法［ｍｍ］×縦方向寸法［ｍｍ］）で規定されるものであっても、表示部１１８上に表示されるライブ映像のピクセルサイズ（横方向ピクセル数×縦方向ピクセル数）で規定されるものであってもよい。以下では、上記の表示画像サイズがピクセルサイズで規定されるものとして説明をする。
【００２４】
−  第１の実施の形態  −
図２は、表示部１１８上に上述したサイズ固定表示モード、サイズ可変表示モードでライブ映像が表示される様子を示している。図２において、（ａ）から（ｄ）はサイズ可変表示モードでライブ映像が表示される様子を示している。撮像光学系１１０の焦点距離が広角端に設定されている場合のライブ映像の表示例を示す図２の（ａ）において、広角端表示画像サイズでライブ映像２０２ａが表示されている。このライブ映像２０２ａには、撮像光学系１１０が望遠端に設定されたときの撮影範囲を示す指標２０４が重畳して表示されている。ライブ映像２０２ａにはさらに、撮像光学系１１０が広角端に設定されたときの撮影範囲（最大画角）を示す矩形の四隅と、撮像光学系１１０が望遠端に設定されたときの撮影範囲（最小画角）を示す矩形の四隅とを結ぶように放射状に配置された４本の線２０６が重畳して表示される。これらの指標２０４および線２０６は、撮像光学系１１０が広角端における焦点距離よりも長い焦点距離に設定されている場合にも表示される。その様子が図２の（ｂ）から（ｄ）に示されている。
【００２５】
撮像光学系１１０で設定される焦点距離が長くなるにつれて、図２の（ｂ）から（ｄ）に示されるように、ライブ映像２０２ｂ、２０２ｃ、２０２ｄの表示画像サイズは順次縮小される。このときの横方向表示画像サイズおよび縦方向表示画像サイズは、撮像光学系１１０の設定焦点距離に応じて上述した式（１）から式（３）を用いて求められる大きさに変化する。また、撮像光学系１１０で設定される焦点距離が広角端における焦点距離Ｗ［ｍｍ］よりも長い値に設定されていると、図２（ｂ）、（ｃ）、（ｄ）に示されるように広角端表示画像サイズを示す指標２００がライブ映像２０２ｂ、２０２ｃ、２０２ｄの外側に重畳して表示される。
【００２６】
以上に説明したようにライブ映像の表示画像サイズを調節することにより、表示部１１８に表示されるモニタ映像の大きさと、広角端表示画像サイズを示す指標２００と、撮像光学系１１０が望遠端に設定されたときの撮影範囲を示す指標２０４との関係から、ユーザは現状で設定されているズームポジションからさらにどの程度ズームアウトまたはズームインの操作ができるのかを容易に把握することができる。
【００２７】
図２において、（ｅ）から（ｈ）はサイズ固定表示モードでライブ映像が表示される様子を示している。図２において（ａ）と（ｅ）、（ｂ）と（ｆ）、（ｃ）と（ｇ）、（ｄ）と（ｈ）とは、それぞれ撮像光学系１１０で設定される焦点距離が同じ場合のものが示されている。撮像光学系１１０が広角端に設定されている場合の例を示す（ａ）と（ｅ）とを比較すると、サイズ可変表示モードに設定されている場合の表示例を示す（ａ）において指標２０４および線２０６が表示されていること以外に差は無い。一方、広角端よりも長い焦点距離に設定されると、サイズ可変表示モードでは設定焦点距離が長くなるにつれてライブ映像の表示画像サイズが小さくなってゆくのに対し、固定表示モードではライブ映像の表示画像サイズは一定のままである。そして画角が狭められた結果、撮影倍率が上がるので、被写体の像の大きさが大きくなってゆく。
【００２８】
図２を参照して以上に説明したようにモニタ映像を表示するため、画像処理部１１４が上述したライブ映像を表示部１１８に表示するための表示用画像データを生成する際に、ＣＰＵ１２０は画像処理部１１４に表示画像サイズ制御情報を出力する。この表示画像サイズ制御情報は、横方向表示画像サイズに関連する情報と縦方向表示画像サイズに関連する情報とを含む。画像処理部１１４は、生成するライブ映像のピクセルサイズ（横方向ピクセル数×縦方向ピクセル数）を、上記の横方向表示画像サイズおよび縦方向表示画像サイズに関連する情報に基づいて変化させる。
【００２９】
図３および図４は、デジタルカメラ１００が画像記録モードに設定されているときにＣＰＵ１２０によって実行される処理内容を概略的に説明するフローチャートである。ユーザが操作部材１３０を操作してデジタルカメラ１００の動作モードを画像記録モードに切り替えた直後のＳ３００においてＣＰＵ１２０は、サイズ固定表示モードでのライブ映像表示処理を実行するように画像処理部１１４に対して制御信号を出力する。この制御信号を受けた画像処理部１１４は、図２の（ｅ）に例示されるようにサイズ固定表示モードでライブ映像の表示を行う。
【００３０】
なお、本実施の形態においては、サイズ固定表示モード時のライブ映像の表示画像サイズ（横方向ピクセル数×縦方向ピクセル数）は、サイズ可変表示モードにおける上記広角端表示画像サイズと一致しているものとする。すなわち、撮像光学系１１０の焦点距離が広角端に設定されている場合には、サイズ固定表示モード、サイズ可変表示モードとも同じピクセルサイズでライブ映像が表示される。そして、撮像光学系１１０の焦点距離が広角端以外の焦点距離に設定されている場合、図２の（ｂ）、（ｃ）、（ｄ）に示される、広角端表示画像サイズを示す指標２００の大きさ（横方向ピクセル数×縦方向ピクセル数）はサイズ固定表示モードにおけるライブ映像の大きさ（横方向ピクセル数×縦方向ピクセル数）と同じとなっている。しかしながら、本発明はこれに限定されるものではなく、図２の（ａ）および（ｅ）に例示されるライブ映像のピクセルサイズは互いに異なっていてもよい。
【００３１】
ＣＰＵ１２０は、Ｓ３０２においてユーザ操作を受け付ける処理を行い、このユーザ操作がレリーズスイッチ１０２の半押し操作であるか否かをＳ３０４で判定する。Ｓ３０４での判定が肯定された場合の分岐先であるＳ３３０においてＣＰＵ１２０は、撮像光学系１１０の焦点調節を行う。
【００３２】
ＣＰＵ１２０はＳ３３２においてユーザ操作を受け付ける処理を行い、このユーザ操作がレリーズスイッチ１０２の全押し操作であるか否かをＳ３３４で判定する。Ｓ３３４での判定が肯定されるとＣＰＵ１２０はＳ３３６に進み、撮像の処理を実行した後、画像処理部１１４に対して画像処理及び画像データの記録に関連する処理を行うように制御信号を発してＳ３００に戻る。一方、Ｓ３３４での判定が否定された場合には、ＣＰＵ１２０はＳ３００に戻る。
【００３３】
Ｓ３０４での判定が否定された場合にＣＰＵ１２０はＳ３０６に分岐し、Ｓ３０２で受け付けたユーザ操作が変倍操作であるか否かを判定する。Ｓ３０６での判定が否定された場合にＣＰＵ１２０はＳ３００に戻る。Ｓ３０６での判定が肯定された場合にＣＰＵ１２０はＳ３０８に進み、タイマをクリア（初期化）してスタートさせる。このタイマは、ユーザが最後に変倍操作（ズームスイッチ１０４の操作）を行ってからの経過時間を管理するためのものである。なお、本実施の形態においては、タイマはソフトウェアタイマ（ＣＰＵ１２０がソフトウェアを実行する中で計時するタイマ）として実施される例について説明をするが、ＣＰＵ１２０に内蔵されるタイマ、あるいはＣＰＵ１２０とは別に設けられるタイマを用いるものであってもよい。
【００３４】
Ｓ３１０においてＣＰＵ１２０は広角端での画角を表す矩形（指標）を描画する処理を行うように画像処理部１１４に制御信号を発する。続くＳ３１２においてＣＰＵ１２０は望遠端での画角を表す矩形（指標）を描画する処理を行うように画像処理部１１４に制御信号を発する。ＣＰＵ１２０はさらにＳ３１４において、広角端での画角を表す指標の四隅と望遠端での画角を表す指標の四隅とを結ぶように放射状に配置された線、すなわち図２の（ａ）に示される四本の線２０６を描画する処理を行うように画像処理部１１４に制御信号を発する。画像処理部１１４は、上記の制御信号をＣＰＵ１２０から受け、表示部１１８に表示する上述した二つの指標と、これらの指標の四隅の間を結ぶように放射状に配列された四本の線に相当する画像データをＲＡＭ１３２内のＶ−ＲＡＭ（ビデオＲＡＭ）領域に書き込む。ＣＰＵ１２０は、Ｓ３１５においてタイマ値をインクリメントする。
【００３５】
続くＳ３１６においてＣＰＵ１２０は、サイズ可変表示モードでのライブ映像表示処理を行う。このサイズ可変表示モードでのライブ映像表示処理の詳細については図４を参照して後で説明する。以上のＳ３１０、Ｓ３１２、Ｓ３１４、そしてＳ３１６の処理を経て、表示部１１８に表示されるライブ映像はサイズ固定表示モードでのライブ映像表示、すなわち図２（ｅ）に例示される表示状態からサイズ可変表示モードでのライブ映像表示、すなわち図２（ａ）に例示される表示状態へと変化する。
【００３６】
Ｓ３１８においてＣＰＵ１２０は、ユーザ操作を受け付ける処理を行い、受け付けたユーザ操作が変倍操作であるか否かの判定をＳ３２０で行う。Ｓ３２０での判定が肯定された場合、ＣＰＵ１２０はＳ３２２に進み、タイマクリアおよびタイマリスタートの処理を行う。すなわち、ユーザが新たに変倍操作をしたことをＳ３２０で判定したのにともない、ユーザが最後に変倍操作をおこなってからの経過時間について、新たに計時しなおすための処理をＳ３２２で行う。Ｓ３２２に続くＳ３２４は、Ｓ３２０での判定が否定された場合の分岐先でもある。このＳ３２４においてＣＰＵ１２０は、Ｓ３１８で受け付けたユーザ操作がレリーズスイッチ１０２の半押しであるか否かを判定する。
【００３７】
Ｓ３２４での判定が肯定された場合の分岐先であるＳ３２８においてＣＰＵ１２０は、タイマをストップし、Ｓ３００に戻る。つまり、サイズ可変プレビュー表示中にユーザがレリーズスイッチ１０２を操作したことを検出すると、ＣＰＵ１２０はライブ映像表示モードをサイズ可変表示モードからサイズ固定表示モードへと変化させる。例えばＳ３１８でユーザがレリーズスイッチ１０２を操作する前の段階で図２の（ｄ）に例示されるような表示状態であったとすると、上述のようにライブ映像表示モードがサイズ可変表示モードからサイズ固定表示モードへと切り替えられるのに伴い、図２の（ｈ）に例示されるような表示状態へと変化する。変倍操作を終えたユーザは、表示部１１８に表示される拡大された被写体の像を見て、より的確なフレーミングを行うことが可能となる。
【００３８】
Ｓ３２４での判定が否定された場合、ＣＰＵ１２０はＳ３２６の処理を行う。すなわち、ユーザが最後に変倍操作を実行してから所定の時間を経過したか否かを判定する。Ｓ３２６での判定が肯定された場合、すなわちユーザが最後に変倍操作を実行してから所定の時間が経過していると判定された場合、ＣＰＵ１２０はＳ３２８に進んでタイマを停止し、Ｓ３００に戻る。ここでの処理は、ユーザが最後に変倍操作してから所定の時間を経過しているので、ユーザは変倍操作をすることをやめた、ということを想定している。そのような場合にはライブ映像の表示モードをサイズ可変表示モードからサイズ固定表示モードへと切り替えることにより、ユーザは拡大された被写体の像を見てピントやフレーミングの確認をより的確に行うことが可能となる。なお、上述した所定の時間としては一例として０．３秒から３０秒程度に設定することが可能である。無論、カメラの仕様やユーザの好み等に応じて、上述した所定の時間は任意の時間に設定可能としてもよい。
【００３９】
一方、Ｓ３２６での判定が否定された場合にはＣＰＵ１２０はＳ３１５に分岐してタイマをインクリメントし、続くＳ３１６でサイズ可変表示モードでのライブ映像表示を維持する。この処理は、ユーザが最後に変倍操作してからの経過時間が所定の時間に達しておらず、ユーザはまだ変倍操作の続行を希望している可能性が高い、ということを想定している。この場合にはライブ映像の表示モードがサイズ可変表示モードに維持される。したがって、ズームスイッチ１０４を押したり指を離したりするたびにサイズ可変表示モードとサイズ固定表示モードとの間で表示モードが頻繁に切り替わり、表示部１１８のプレビュー表示が煩雑なものとなる、といった不具合を抑止することが可能となる。
【００４０】
図４は、図３におけるＳ３１６のサイズ可変表示モードの処理をより詳細に示すフローチャートである。Ｓ４００においてＣＰＵ１２０は、撮像光学系１１０の設定焦点距離に関連する情報をエンコーダ１４０から入力する。ここで、撮影光学系１１０で設定されている焦点距離はＦ［ｍｍ］であるものとし、また、広角端に設定された場合の焦点距離はＷ［ｍｍ］であるものとして説明をする。
【００４１】
Ｓ４０２においてＣＰＵ１２０は、上述した式（１）を用いてズーム倍率Ｒを算出する。このズーム倍率Ｒとは、撮像光学系１１０で現状設定されている焦点距離Ｆ［ｍｍ］と、広角端における焦点距離Ｗ［ｍｍ］との比（Ｆ  ／  Ｗ）を意味する。すなわち、ズーム倍率Ｒは、現状で設定されている焦点距離Ｆが、広角端における焦点距離Ｗの何倍となっているかを意味する。
【００４２】
Ｓ４０４においてＣＰＵ１２０は、横方向表示画像サイズを、上述した式（２）を用いて算出する。続くＳ４０６においてＣＰＵ１２０は、縦方向表示画像サイズを、上述した式（３）を用いて算出する。
【００４３】
Ｓ４０８においてＣＰＵ１２０は、Ｓ４０４およびＳ４０６で算出した横方向表示画像サイズおよび縦方向表示画像サイズに関連する情報を画像処理部１１４に出力する。Ｓ４１０においてＣＰＵ１２０は、サイズ可変表示モードでライブ映像を表示部１１８に表示するよう、画像処理部１１４にコマンドを出力し、リターンする。
【００４４】
以上、図３、図４に示すフローチャートを参照して説明したＣＰＵ１２０の処理により、ユーザがズームスイッチ１０４を操作すると図２の（ａ）から（ｄ）に例示されるようなサイズ可変表示モードでのライブ映像が表示部１１８に表示される。また、ユーザがズームスイッチ１０４の操作をやめてから所定の時間が経過した場合や、レリーズスイッチ１０２を操作した場合には、図２の（ｅ）から（ｈ）に例示されるようなサイズ固定表示モードでのライブ映像へと表示が切り替えられる。
【００４５】
−  ライブ映像表示モードをユーザが選択可能とする例  −
以上では、サイズ固定表示モードからサイズ可変表示モードへの切り替えはユーザがズームスイッチ１０４を操作したことを検出したことに伴って自動的に行われる例について説明した。しかし、本発明はこのような例に限られるものではなく、ライブ映像表示モードとしてサイズ可変表示モードまたはサイズ固定表示モードをユーザが必要に応じて適宜選択可能に構成されていてもよい。以下ではそのような例について説明する。
【００４６】
ライブ映像表示モードとしてサイズ可変表示モードまたはサイズ固定表示モードをユーザが適宜選択可能とする方法として、以下では二つの例について説明する。一つの方法は、ユーザが撮影に先立ってライブ映像表示モードを所望の表示モードに切り替える方法である。ライブ映像表示モードを所望の表示モードに切り替えるためには、ユーザが操作部材１３０を操作して設定メニューを呼び出し、表示部１１８に表示されるメニュー画面中で所望の表示モードを選択しても良いし、操作部材１３０に含まれるスライドスイッチ等を切り替えても良い。この方法では、ユーザがライブ映像表示モードを再度切り替える操作をするまでの間、選択された表示モードでのライブ映像表示が継続して行われる。以下ではこのライブ映像表示モードの切替方式を「トグル切替方式」と称する。トグルスイッチがある状態に切り替えられると、トグルスイッチから指を離してもその切り替え状態が維持されるのに由来してこのような名称を付した。
【００４７】
そしてライブ映像表示モードとしてサイズ可変表示モードまたはサイズ固定表示モードをユーザが適宜選択可能とするもう一つの方法は、操作部材１３０に含まれるライブ映像表示モード切替スイッチを押しているか離しているかによってサイズ可変表示モードあるいはサイズ固定表示モードに切り替える方法である。この方法では、例えばライブ映像表示モード切替スイッチを押している間だけ、サイズ可変表示モードでのライブ映像表示を行うものとすることができる。変倍操作に先立って、あるいは変倍操作中に、あとどれくらいズームインあるいはズームアウトの操作ができるのかを知りたいときにユーザがライブ映像表示モード切替スイッチを押すと図２の（ｅ）から（ｈ）に例示される表示状態から、（ａ）から（ｄ）に例示される表示状態に切り替えられる。そして、ライブ映像表示モード切替スイッチから指を離すとサイズ固定表示モードへと切り替えられるので、ユーザの好みに応じたタイミングでライブ映像表示モードを所望のものに切り替えることが可能となる。以下ではこのライブ映像表示モードの切替方式を「モーメンタリ切替方式」と称する。モーメンタリスイッチはユーザが押している間、その切り替え状態が維持され、指を離すと上記切り替え状態が解除されるのに由来してこの名称を付した。
【００４８】
図５は、上述したトグル切替方式でライブ映像表示モードを切り替え可能とする例を示すフローチャートである。図５に示す処理は、図３に示すものと同様、デジタルカメラ１００が画像記録モードに設定されているときにＣＰＵ１２０によって実行される。
【００４９】
Ｓ５００においてＣＰＵ１２０はユーザ操作を受け付け、続くＳ５０２でサイズ固定表示がオンになっているか（ユーザがサイズ固定表示モードを希望しているか）否かを判定する。なお、ここではライブ映像表示モードを切り替えるために、操作部材１３０中に含まれるスイッチをユーザが切り替え操作するものとして説明するが、先にも説明したように、ライブ映像表示モードを切り替えるためのメニュー画面を呼び出してユーザが操作するものであってもよい。
【００５０】
Ｓ５０２での判定が否定された（ユーザがサイズ可変表示モードを希望している場合）にはＳ５１４に分岐する一方、肯定された（ユーザがサイズ固定表示モードを希望している）場合には、ＣＰＵ１２０はＳ５０４において固定表示モードでライブ映像を表示部１１８に表示する処理を行う。ＣＰＵ１２０はＳ５０６でユーザ操作を受け付け、続くＳ５０８でこのユーザ操作がレリーズスイッチ１０２の半押しであるか否かを判定する。この判定が肯定されるとＳ５１０に進んで撮像処理を実行する一方、否定されるとＳ５１０の処理をスキップしてＳ５１２に進む。
【００５１】
図５の右下に示されるフローチャートは、Ｓ５１０、Ｓ５２６で行われる撮像処理の詳細について説明するためのものである。このフローチャートを参照して説明すると、ＣＰＵ１２０はＳ５４０において焦点調節の処理を行い、Ｓ５４２でユーザ操作を受け付ける処理を行う。Ｓ５４４でＣＰＵ１２０は、Ｓ５４２で受け付けたユーザ操作がレリーズスイッチ１０２の全押し操作であるか否かを判定する。Ｓ５４４での判定が否定されるとリターンする一方、肯定されるとＳ５４６に進み、撮像、画像処理、画像データ記録に係る一連の処理を行うように画像処理部１１４に制御信号を発し、リターンする。
【００５２】
図５の上側に示されるフローチャートを再度参照し、Ｓ５１２においてＣＰＵ１２０は、サイズ固定表示がオンとなっているか否かを判定し、この判定が否定される（ユーザがサイズ可変表示モードを希望している）場合にはＳ５１４に進む一方、肯定される（ユーザがサイズ固定表示モードを希望している）場合にはＳ５０４に戻って固定表示モードでのライブ映像表示を継続する。
【００５３】
Ｓ５１４においてＣＰＵ１２０は、広角端での画角を表す矩形（指標）を描画する処理を行うように画像処理部１１４に制御信号を発する。続くＳ５１６においてＣＰＵ１２０は望遠端での画角を表す矩形（指標）を描画する処理を行うように画像処理部１１４に制御信号を発する。ＣＰＵ１２０はさらにＳ５１８において、広角端での画角を表す指標の四隅と望遠端での画角を表す指標の四隅とを結ぶように放射状に配置された四本の線を描画する処理を行うように画像処理部１１４に制御信号を発する。
【００５４】
続くＳ５２０においてＣＰＵ１２０は、サイズ可変表示モードでのライブ映像表示処理を行う。このサイズ可変表示モードでのライブ映像表示処理の詳細については図４を参照して説明したのと同様であるので説明を省略する。
【００５５】
Ｓ５２２においてＣＰＵ１２０は、ユーザ操作を受け付ける処理を行い、受け付けたユーザ操作がレリーズスイッチ１０２を半押しする操作であるか否かの判定をＳ５２４で行う。Ｓ５２４での判定が肯定された場合、ＣＰＵ１２０はＳ５２６に進み、先に説明した撮像の処理を行う。
【００５６】
Ｓ５２８においてＣＰＵ１２０はサイズ固定表示がオンとなっているか否かを判定し、この判定が否定される（ユーザがサイズ可変表示モードを希望している）場合にはＳ５２０に戻ってサイズ可変表示モードでのライブ映像の表示を継続する一方、肯定される（ユーザがサイズ固定表示モードを希望している）場合にはＳ５０４に分岐し、固定表示モードでのライブ映像の表示に切り替える。
【００５７】
図６は、上述したモーメンタリ切替方式でライブ映像表示モードを切り替え可能とする例を示すフローチャートである。図６に示す処理は、図３に示すものと同様、デジタルカメラ１００が画像記録モードに設定されているときにＣＰＵ１２０によって実行される。
【００５８】
Ｓ６００においてＣＰＵ１２０はユーザ操作を受け付け、続くＳ６０２でサイズ可変表示スイッチがオンになっているか（ユーザがサイズ可変表示モードを希望しているか）否かを判定する。
【００５９】
Ｓ６０２での判定が肯定された（ユーザがサイズ可変表示モードを希望している場合）にはＳ６１４に分岐する一方、否定された（ユーザがサイズ固定表示モードを希望している）場合には、ＣＰＵ１２０はＳ６０４において固定表示モードでライブ映像を表示部１１８に表示する処理を行う。ＣＰＵ１２０はＳ６０６でユーザ操作を受け付け、続くＳ６０８でこのユーザ操作がレリーズスイッチ１０２の半押しであるか否かを判定する。この判定が肯定されるとＳ６１０に進んで撮像処理を実行する一方、否定されるとＳ６１０の処理をスキップしてＳ６１２に進む。
【００６０】
Ｓ６１０での撮像処理については、図５の右下に示されるフローチャートを参照して説明したＳ５４０からＳ５４６の処理と同様であるのでその説明を省略する。
【００６１】
Ｓ６１２においてＣＰＵ１２０は、サイズ可変表示スイッチがオンとなっているか否かを判定し、この判定が肯定される（ユーザがサイズ可変表示モードを希望している）場合にはＳ６１４に進む一方、否定される（ユーザがサイズ固定表示モードを希望している）場合にはＳ６０４に戻って固定表示モードでのライブ映像表示を継続する。
【００６２】
Ｓ６１４からＳ６２６においてＣＰＵ１２０は、図５のフローチャートにおけるＳ５１４からＳ５２６の処理と同様の処理を行い、サイズ可変表示モードでのライブ映像表示処理および撮像の処理を行う。
【００６３】
Ｓ６２８においてＣＰＵ１２０はサイズ可変表示スイッチがオンとなっているか否かを判定し、この判定が肯定される（ユーザがサイズ可変表示モードを希望している）場合にはＳ６２０に戻ってサイズ可変表示モードでのライブ映像の表示を継続する一方、否定される（ユーザがサイズ固定表示モードを希望している）場合にはＳ６０４に分岐し、固定表示モードでのライブ映像の表示に切り替える。
【００６４】
以上、本発明の第１の実施の形態に係るデジタルカメラでは、自動あるいは手動の切り替え操作によってライブ映像の表示モードをサイズ固定表示モードとサイズ可変表示モードとの間で切り替えることが可能となる。そして、サイズ可変表示モードにおいては、撮像光学系１１０の変倍操作をする際に、あとどれくらいズームイン、ズームアウトが可能なのかをユーザは直観的に知ることができる。また、サイズ固定表示モードでのライブ映像表示に切り替えられるとピントの確認や正確な構図決定を行うことが容易となる。
【００６５】
−  第２の実施の形態  −
第１の実施の形態においては、図２の（ａ）から（ｄ）に示されるように、サイズ可変表示モードで表示されるライブ映像の表示位置（表示中心位置）は撮像光学系１１０で設定される焦点距離によらず一定な例について説明した。これに対して、第２の実施の形態では、サイズ可変表示モードでライブ映像が表示される際、表示画像サイズが小さくなるにつれて表示位置（表示中心位置）が予め定められた方向に沿って移動する例について説明する。なお、第２の実施の形態に係るデジタルカメラ１００の内部構成は図１に示されるものと同様であるのでその説明を省略する。
【００６６】
上述した、表示画像サイズが小さくなるにつれて表示位置（表示中心位置）が予め定められた方向に沿って移動する表示例が図７に示されている。この図７は、表示部１１８に表示されるライブ映像の表示例を示し、（ａ）から（ｄ）がサイズ可変表示モードにおけるライブ映像の表示例を示しており、（ｅ）から（ｈ）がサイズ固定表示モードにおけるライブ映像の表示例を示している。図７に示される例では、被写体は「ＡＢＣ」という文字であり、広角端では「ＡＢＣ」の３文字が、望遠端では「ＡＢＣ」の文字の中央に位置する「Ｂ」の文字が画面ほぼ一杯に写るものとする。
【００６７】
撮像光学系１１０の焦点距離が広角端に設定されている場合にサイズ可変表示モードでライブ映像が表示される例を示す図７の（ａ）において、広角端表示画像サイズでライブ映像７０２ａが表示されている。このライブ映像７０２ａには、撮像光学系１１０が望遠端に設定されたときの撮影範囲を示す指標７０４が重畳して表示されている。但し、第２の実施の形態において指標７０４は画角の目安を示すためのものである。すなわち、図７の（ａ）に示す構図のまま撮像光学系１１０を望遠端に設定すると、図７の（ｈ）に示されるように「Ｂ」の文字が写る筈であるが、図７（ａ）において指標７０４は「Ａ」の文字を囲うような位置に表示されている。
【００６８】
ライブ映像７０２ａにはさらに、撮像光学系１１０が広角端に設定されたときの撮影画角を示す矩形の四隅と、撮像光学系１１０が望遠端に設定されたときの撮影画角を示す矩形の四隅とを結ぶように放射状に配置された４本の線７０６が重畳して表示される。これらの指標７０４および線７０６は、撮像光学系１１０が広角端における焦点距離よりも長い焦点距離に設定されている場合にも表示される。その様子が図７の（ｂ）から（ｄ）に示されている。
【００６９】
撮像光学系１１０で設定される焦点距離が長くなるにつれて、図７の（ｂ）から（ｄ）に示されるように、ライブ映像７０２ｂ、７０２ｃ、７０２ｄの表示画像サイズは順次縮小される。このときの横方向表示画像サイズおよび縦方向表示画像サイズは、撮像光学系１１０の設定焦点距離に応じて先に説明した式（１）から式（３）を用いて求められる大きさに変化する。また、撮像光学系１１０で設定される焦点距離が広角端における焦点距離Ｗ［ｍｍ］よりも長い値に設定された場合には、図７（ｂ）、（ｃ）、（ｄ）に示されるように広角端表示画像サイズを示す指標７００がライブ映像７０２ｂ、７０２ｃ、７０２ｄの外側に重畳して表示される。
【００７０】
以上に説明したようにライブ映像の表示画像サイズを調節することにより、表示部１１８に表示されるモニタ映像の大きさと、広角端表示画像サイズを示す指標２００と、撮像光学系１１０が望遠端に設定されたときの撮影範囲（画角）を示す指標７０４との関係から、ユーザは現状で設定されているズームポジションからさらにどの程度ズームアウトまたはズームインの操作ができるのかを容易に把握することができる。
【００７１】
また、図７の（ａ）から（ｄ）に示されるように、撮像光学系１１０で設定される焦点距離が望遠側に変化するにつれてライブ映像の表示中心位置が左に移動している。したがって、撮像光学系１１０で設定される焦点距離が望遠側に変化するにつれて、表示部１１８の右側に空きスペースが生まれる。この空きスペースに、図７（ｄ）に示されるように拡大ライブ映像７０８を表示する。すなわち、撮像光学系１１０の変倍比が高いと、設定焦点距離が望遠端に近いときにサイズ可変表示モードで表示されるライブ映像の表示画像サイズは小さくなる。この場合、あとどれくらいズームイン、ズームアウトの操作が可能かを知ることはできても、サイズ可変表示モードで表示されるライブ映像で正確なフレーミング（構図決定）をすることは難しい。無論、本実施の形態においても、図７の（ｅ）から（ｈ）に例示されるように、サイズ固定表示モードに切り替えることが可能であるので問題は無い。しかし、変倍操作中もフレーミングが可能であれば、操作性が向上する。そこで、可変表示モードでライブ映像を表示する際に、ライブ映像の表示画像サイズが予め定められた大きさよりも小さくなったときに拡大ライブ映像７０８を併せて表示する。矢印の表示７１０は、拡大ライブ映像７０８がサイズ可変表示モードで表示されるライブ映像７０２ｄを拡大して表示したものであることを示すためのものである。
【００７２】
このとき、サイズ可変表示モードで表示されるライブ映像の表示画像サイズが小さくなるにつれて、すなわち撮像光学系１１０で設定される焦点距離が長くなるにつれて、ライブ映像の表示中心位置を予め定められた方向に沿って移動することによって、より広い空きスペースを確保することが可能となり、拡大ライブ映像７０８の表示映像サイズを大きくして視認性を向上することが可能となる。
【００７３】
図７において、（ｅ）から（ｈ）はサイズ固定表示モードでライブ映像が表示される様子を示している。図７において（ａ）と（ｅ）、（ｂ）と（ｆ）、（ｃ）と（ｇ）、（ｄ）と（ｈ）とは、それぞれ撮像光学系１１０で設定される焦点距離が同じ場合のものが示されている。撮像光学系１１０が広角端に設定されている場合の例を示す（ａ）と（ｅ）とを比較すると、サイズ可変表示モードに設定されている場合の表示例を示す（ａ）において指標７０４および線７０６が表示されていることが両者の違いである。一方、広角端よりも長い焦点距離に設定されると、サイズ可変表示モードでは設定焦点距離が長くなるにつれてライブ映像の表示画像サイズが小さくなってゆくのに対し、固定表示モードではライブ映像の表示画像サイズは一定のままである。そして画角が狭められた結果、撮影倍率が上がるので、被写体の像の大きさが大きくなってゆく。
【００７４】
図７を参照して以上に説明したようにモニタ映像を表示するため、画像処理部１１４が上述したライブ映像を表示部１１８に表示するための表示用画像データを生成する際に、ＣＰＵ１２０は画像処理部１１４に表示画像サイズ制御情報を出力する。この表示画像サイズ制御情報は、横方向表示画像サイズに関連する情報と縦方向表示画像サイズに関連する情報とに加えて、表示中心位置を特定可能な情報も含む。そして、画像処理部１１４は、生成するライブ映像のピクセルサイズ（横方向ピクセル数×縦方向ピクセル数）および表示中心位置を、上記の横方向表示画像サイズに関連する情報、縦方向表示画像サイズに関連する情報、および表示中心位置を特定可能な情報に基づいて変化させる。
【００７５】
第２の実施の形態において、ＣＰＵ１２０で実行される画像記録モードの処理手順は、第１の実施の形態で図３、図５、図６を参照して説明したいずれかの処理手順を適用可能である。そしてサイズ可変プレビュー表示の処理内容だけが第１の実施の形態と異なる。
【００７６】
そこで、画像記録モードの処理手順については説明を省略し、図３、図５、または図６に示される画像記録モードの処理手順中で呼び出されてＣＰＵ１２０により実行されるサイズ可変プレビュー表示処理の内容についてのみ、図８および図９を参照して説明する。
【００７７】
図８は、ＣＰＵ１２０によって実行されるサイズ可変プレビュー表示処理手順を説明するフローチャートである。Ｓ８００においてＣＰＵ１２０は、撮像光学系１１０の設定焦点距離に関連する情報をエンコーダ１４０から入力する。ここで、撮影光学系１１０で設定されている焦点距離はＦ［ｍｍ］であるものとし、また、広角端に設定された場合の焦点距離はＷ［ｍｍ］であるものとして説明をする。
【００７８】
Ｓ８０２においてＣＰＵ１２０は、先に説明した式（１）を用いてズーム倍率Ｒを算出する。Ｓ８０４においてＣＰＵ１２０は、横方向表示画像サイズを、先に説明した式（２）を用いて算出する。Ｓ８０６においてＣＰＵ１２０は、縦方向表示画像サイズを、先に説明した式（３）を用いて算出する。続くＳ８０８においてＣＰＵ１２０は表示画像サイズが縮小されたライブ映像の表示中心位置の水平方向オフセット量（以下、これを「表示位置オフセット量」と称する）を算出する。図８に示される表示位置オフセット量の算出式、すなわち、
表示位置オフセット量  ＝  Ａ  ×  （  Ｒ  −  １  ）  …  式（４）
において、Ａは任意の値とすることができる。この式（４）は、一例を示したにすぎず、他の式を用いて算出してもよい。
【００７９】
また、オフセット方向は左右方向のみならず上下方向であってもよいし、左右方向および上下方向のオフセット成分を共に含む、斜め方向であってもよい。図７は、上に例示する式（４）で求められる表示位置オフセット量に対応する寸法または画素数だけライブ映像の表示中心位置を左側にオフセットさせる例を示している。
【００８０】
Ｓ８１０においてＣＰＵ１２０は、Ｓ８０４およびＳ８０６で算出した横方向表示画像サイズおよび縦方向表示画像サイズに関連する情報、ならびにＳ８０８で算出した表示位置オフセット量に関連する情報を画像処理部１１４に出力する。ＣＰＵ１２０は、Ｓ８１２においてサイズ可変表示モードでライブ映像を表示部１１８に表示するよう、画像処理部１１４にコマンドを出力する。
【００８１】
Ｓ８１４においてＣＰＵ１２０は、ズーム比Ｒが予め定められた値αを上回っているか否かを判定し、この判定が肯定されるとＳ８１６に進んで拡大ライブ映像表示コマンドを画像処理部１１４に出力してリターンする。一方、Ｓ８１４での判定が否定された場合にはＳ８１８に分岐し、拡大ライブ映像非表示コマンドを画像処理部１１４に出力してリターンする。
【００８２】
上述したＳ８１４、Ｓ８１６、およびＳ８１８での処理について説明する。まずＳ８１４での判定処理について説明すると、ズーム比Ｒが予め定められた値αを上回っているか否かの判定は、ライブ映像の表示位置が十分にオフセットされて拡大ライブ映像を表示するのに十分なスペースが確保されたか否かを判定するためのものである。したがって、拡大ライブ映像の表示画像サイズをどの程度大きくするか、そして表示位置オフセット量がどれくらいに設定されて、拡大ライブ映像表示用のスペースがどれくらい確保されているかによって上記の判定基準αの値を適宜設定することが可能である。
【００８３】
Ｓ８１６での処理に際してＣＰＵ１２０は、拡大ライブ映像表示コマンドを出力するとともに拡大ライブ映像の表示倍率を指定する情報を画像処理部１１４に出力し、その際の表示倍率をズーム比Ｒの大きさに応じて変化させるようにしてもよい。この表示倍率は、広角端表示画像サイズを基準としても良いし、サイズ可変表示モードで表示されるライブ映像の表示画像サイズを基準としても良い。
【００８４】
Ｓ８１８の処理は、ユーザによるズームインの操作の結果、Ｓ８１４での判定が一度肯定されて拡大ライブ映像表示が行われた後、ユーザがズームアウトの操作をしてズーム倍率Ｒが上記判定基準αを下回ったため、拡大ライブ映像を非表示とする処理である。
【００８５】
以上、ＣＰＵ１２０による図８を参照して説明した処理により、図９に示されるような表示位置オフセット量の制御と拡大ライブ映像の表示／非表示切り替えが行われる。ズーム倍率Ｒと表示位置オフセット量との関係の一例を示す図９において、横軸はズーム倍率Ｒを示し、縦軸はサイズ可変表示モードにおけるライブ映像の表示位置オフセット量を示す。ズーム倍率Ｒが１、すなわち撮像光学系が広角端に設定されている状態で表示位置オフセット量は０となっている。そして撮像光学系１１０の設定焦点距離を長焦点側（ズーム倍率Ｒが増す側）に変化させるのにつれて表示位置オフセット量はリニアに変化し、サイズ可変表示モードでのライブ映像の表示中心位置が左側にオフセットされてゆく様子が描かれている。また、図９には、ズーム倍率Ｒがαを超す場合に拡大ライブ映像が表示され、α以下の場合には拡大ライブ映像を非表示とする様子が描かれている。
【００８６】
以上、図８および図９を参照して説明した例においては、特に図９を参照して明らかなように、撮影光学系１１０の設定焦点距離が広角端での焦点距離よりも大きな値に設定されたとき、ズーム倍率Ｒの変化に対応して表示位置オフセット量がリニアに変化する例を説明した。本発明はこれに限られるものではなく、ズーム倍率Ｒの変化に対して表示位置オフセット量が非線形に変化してもよいし、不連続に変化してもよい。
【００８７】
ここで図１０および図１１を参照し、表示位置オフセット量がズーム倍率Ｒの変化に対して不連続に変化する例について説明する。図１０は、図９と同様に、ズーム倍率Ｒと表示位置オフセット量との関係の一例を示す。図１０に示すグラフにおいて、横軸はズーム倍率Ｒを示し、縦軸はサイズ可変表示モードにおけるライブ映像の表示位置オフセット量を示す。ズーム倍率Ｒが１からβまで変化する間は、表示位置オフセット量は０となっている。すなわち、ズーム倍率Ｒが１からβまでの間で変化する間は、サイズ可変表示モードで表示されるライブ映像の表示中心位置は移動せず、表示画像サイズのみが変化する。そしてズーム倍率Ｒがβを超すと撮像光学系１１０の設定焦点距離が長焦点側（ズーム倍率Ｒが増す側）に変化させるのにつれて表示位置オフセット量はリニアに変化し、サイズ可変表示モードでのライブ映像の表示中心位置が左側にオフセットされてゆく様子が描かれている。また、図１０には、ズーム倍率Ｒがαを超す場合に拡大ライブ映像が表示され、α以下の場合には拡大ライブ映像を非表示とする様子が描かれている。本例においても、拡大ライブ映像の表示画像サイズをどの程度大きくするか、そして表示位置オフセット量がどれくらいに設定されて、拡大ライブ映像表示用のスペースがどれくらい確保されているかによって上記の判定基準αの値を設定することが可能である。また、判定基準βについてはズーム倍率１とαとの中間の値（平均値）としても良いし、それよりも小さい値としても良い。逆に、ズーム倍率１とαとの中間の値よりも大きくしても良い。さらには、ズーム倍率Ｒがβ未満では表示位置オフセット量を０とし、β以上ではズーム倍率Ｒの大小によらず一定の表示位置オフセット量となるようにしてもよく、この場合にはβ＝αとしてもよい。
【００８８】
図１０を参照して以上に説明したようなサイズ可変プレビュー表示処理をＣＰＵ１２０が実行する際の処理手順を図１１に示す。図１１に示すフローチャートにおいて、図８に示すものと同様の処理手順には図８で付してあるものと同じステップ番号を付してその説明を省略し、図８に示される処理手順との違いを中心に説明をする。
【００８９】
図１１に示すフローチャートにおいて、図８に示すフローチャートとの違いはＳ８０６の処理とＳ８０８の処理のとの間にズーム倍率Ｒが所定の値βを超しているか否かを判定するステップＳ１１００が挿入されている点と、Ｓ１１００での判定が否定された場合の処理として表示位置オフセット量＝０とする処理ステップＳ１１０２が追加されている点である。
【００９０】
なお、図１０および図１１を参照して説明したような、ズーム倍率Ｒの変化に対応して表示位置オフセット量を非連続で変化させる場合においては、図７に示される４本の直線７０６は表示しないようにしてもよい。理由は、サイズ可変表示モードで表示されるライブ映像の表示画像サイズおよび表示位置が変化する際に、表示位置オフセット量がズーム倍率Ｒの変化に対して不連続に変化すると、ライブ映像の四隅の位置が４本の直線上に位置しなくなる可能性があるからである。
【００９１】
以上、第２の実施の形態おいてはサイズ可変表示モードでライブ映像が表示される際に、ズーム倍率Ｒの変化に応じてライブ映像の表示位置（表示中心位置）が変化する。このように表示を制御することにより、空いた表示スペースに他の情報を表示することも可能となる。また、空いた表示スペースに拡大ライブ映像７０８（図７）を表示することにより、変倍操作中にあとどれだけズームインあるいはズームアウトの操作が可能なのかをユーザは直観的に知ることが可能となるのに加えて、併せて表示される拡大ライブ映像７０８によって構図決定等を容易に行うことが可能となる。
【産業上の利用可能性】
【００９２】
本発明は、デジタルスチルカメラ、デジタルムービーカメラ、カメラ付き携帯電話等に適用可能である。また、変倍光学系を有する顕微鏡や内視鏡等に接続ないし内蔵されるカメラユニット等から出力される画像信号を入力して処理し、拡大像をディスプレイに表示することの可能な装置等に本発明を適用することが可能である。
【図面の簡単な説明】
【００９３】
【図１】本発明が適用されるデジタルカメラの内部構成を概略的に示すブロック図である。
【図２】本発明の第１の実施の形態におけるライブ映像の表示例を概念的に示す図であり、（ａ）から（ｄ）がサイズ可変表示モードで表示されるライブ映像の、（ｅ）から（ｈ）がサイズ固定表示モードで表示されるライブ映像の表示例を示す。
【図３】デジタルカメラ内のＣＰＵで実行される画像記録モードの処理手順を説明するフローチャートである。
【図４】デジタルカメラ内のＣＰＵで実行されるサイズ可変プレビュー表示の処理手順を説明するフローチャートである。
【図５】デジタルカメラ内のＣＰＵで実行される画像記録モードの処理手順の別の例を説明するフローチャートである。
【図６】デジタルカメラ内のＣＰＵで実行される画像記録モードの処理手順のさらに別の例を説明するフローチャートである。
【図７】本発明の第２の実施の形態におけるライブ映像の表示例を概念的に示す図であり、（ａ）から（ｄ）がサイズ可変表示モードで表示されるライブ映像の、（ｅ）から（ｈ）がサイズ固定表示モードで表示されるライブ映像の表示例を示す。
【図８】デジタルカメラ内のＣＰＵで実行されるサイズ可変プレビュー表示の処理手順を説明するフローチャートであり、ズーム倍率Ｒの変化に対応してライブ映像の表示位置オフセット量をリニアに変化させる例を示すフローチャートである。
【図９】サイズ可変表示モードにおいて、ズーム倍率Ｒの変化に対応してライブ映像の表示位置オフセット量がリニアに変化する様子を概念的に示すグラフである。
【図１０】サイズ可変表示モードにおいて、ズーム倍率Ｒの変化に対応してライブ映像の表示位置オフセット量が不連続に変化する様子を概念的に示すグラフである。
【図１１】デジタルカメラ内のＣＰＵで実行されるサイズ可変プレビュー表示の処理手順を説明するフローチャートであり、ズーム倍率Ｒの変化に対応してライブ映像の表示位置オフセット量を不連続に変化させる例を示すフローチャートである。
【符号の説明】
【００９４】
１００  …  デジタルカメラ
１０２  …  レリーズスイッチ
１０４  …  ズームスイッチ
１０６  …  ドライバ
１０８  …  レンズ駆動部
１１０  …  撮像光学系
１１２  …  撮像素子
１１４  …  画像処理部
１１６  …  表示制御部
１１８  …  表示部
１２０  …  ＣＰＵ
１３０  …  操作部材
１３２  …  ＲＡＭ
１３４  …  ＲＯＭ
１３６  …  記憶媒体
１３８  …  システムバス
２０２  …  ライブ映像
２０４  …  指標
２０６  …  線
【図１】
2009224976.tif 000003
【図２】
2009224976.tif 000004
【図３】
2009224976.tif 000005
【図４】
2009224976.tif 000006
【図５】
2009224976.tif 000007
【図６】
2009224976.tif 000008
【図７】
2009224976.tif 000009
【図８】
2009224976.tif 000010
【図９】
2009224976.tif 000011
【図１０】
2009224976.tif 000012
【図１１】
2009224976.tif 000013